(57)【要約】この発明は、水平同期信号（Ｈｓｙｎｃ）を生成するために、ビデオ・ラインの開始での水平同期パルスを含む入力ビデオ信号（Ｃｓｙｎｃ）から同期信号を抽出する方法に関し、この方法は、−前記入力ビデオ信号（Ｃｓｙｎｃ）中の前記ビデオ・ラインの持続時間（Ｄ）を計算するための計算ステップ（１０５）と、−入力ビデオ信号（Ｃｓｙｎｃ）を強制的に出力レベルにする強制ステップであって、出力レベルが水平同期パルス後の前記入力ビデオ信号（Ｃｓｙｎｃ）のレベルに対応して、水平同期信号（Ｈｓｙｎｃ）を生成するために、入力信号を、各水平同期パルスの終わりとライン持続時間（Ｄ）の第１のパーセント値（Ｘ１）によって定義される瞬間との間にあるように強制する強制ステップ（１０８）と、を備える。【用途】  同期信号の抽出。
2005531973.tif 000002
【特許請求の範囲】
【請求項１】
水平同期信号を生成するために、ビデオ・ラインの開始での水平同期パルスを含む入力ビデオ信号から同期信号を抽出する方法であって、
前記入力ビデオ信号中のビデオ・ラインの持続時間を計算するための計算ステップと、
前記入力ビデオ信号を強制的に出力レベルにする強制ステップであって、前記出力レベルが水平同期パルス後の前記入力ビデオ信号のレベルに対応し、水平同期信号を生成するために、前記入力信号を、各水平同期パルスの終わりと前記ライン持続時間の第１のパーセント値によって定義される瞬間との間にあるように強制する強制ステップと、
を備える方法。
【請求項２】
前記計算ステップの事前のステップを備え、前記事前のステップは、
入力ビデオ信号の１組の立ち上がりエッジから選ばれた２つの連続した立ち上がりエッジの間で、前記入力ビデオ信号のロー・レベルの持続時間およびハイ・レベルの持続時間を測定するための第１の測定サブステップと、
前記第１測定サブステップで実施された１組の連続した測定について、前記ロー・レベル持続時間対前記ハイ・レベル持続時間の比が１より大きい場合、前記入力ビデオ信号のレベルを反転させる反転サブステップと、を備える請求項１に記載の方法。
【請求項３】
前記計算ステップが、
前記入力ビデオ信号の１組の立ち上がりエッジのうちから２つずつ取られた連続する立ち上がりエッジの間の持続時間を測定するための第２の測定サブステップと、
前記第２測定サブステップで測定された持続時間のうちから、ビデオ・ラインの前記持続時間に対応する最大値を抽出するための処理サブステップと、を備えることを特徴とする請求項１または請求項２に記載の方法。
【請求項４】
前記計算ステップが、前記ビデオ・ラインの持続時間を計算するための周期的に活性化され得るように意図されていることを特徴とする請求項３に記載の方法。
【請求項５】
水平および垂直同期信号を生成するために、ビデオ・ラインの開始での水平同期パルスを含む入力ビデオ信号から同期信号を抽出する集積回路であって、
前記入力ビデオ信号中のビデオ・ラインの持続時間を計算するための計算手段と、
前記入力ビデオ信号を強制的に出力レベルにする強制手段であって、前記出力レベルが前記水平同期パルス後の前記入力ビデオ信号のレベルに対応し、前記水平同期信号を生成するために、前記入力信号を、各水平同期パルスの終わりと前記ライン持続時間の第１のパーセント値によって定義される瞬間との間にあるように強制する強制手段と、を備える集積回路。
【請求項６】
追加手段を備え、前記追加手段は、
入力ビデオ信号の１組の立ち上がりエッジから選ばれた２つの連続した立ち上がりエッジの間で、前記入力ビデオ信号のロー・レベルの持続時間およびハイ・レベルの持続時間を測定するための測定手段と、
前記測定手段で実施された１組の連続した測定について、前記ロー・レベル持続時間対前記ハイ・レベル持続時間の比が１より大きい場合、前記入力ビデオ信号のレベルを反転させる手段と、を備える請求項５に記載の集積回路。
【請求項７】
前記ビデオ・ラインの持続時間を計算するための計算手段が、
前記入力ビデオ信号の１組の立ち上がりエッジのうちから２つずつ取られた連続する立ち上がりエッジの間の持続時間を測定するための測定サブステップと、
１組の前記持続時間の中から、前記ビデオ・ラインの前記持続時間に対応する最大値を抽出するための処理手段と、を備えることを特徴とする請求項５または請求項６に記載の集積回路。
【請求項８】
前記計算手段を周期的に活性化させるための更新手段を備える請求項７に記載の集積回路。
【発明の詳細な説明】
【技術分野】
【０００１】
本発明は、水平および垂直同期信号を生成するために、水平および垂直同期パルスを含む入力ビデオ信号から同期信号を抽出する方法に関する。
【０００２】
本発明は、ビデオ画面で使用されるビデオ同期信号を取得するため、またはＬＣＤ画面上で表示されるビデオ信号をデジタル化する際にそれを使用するための集積回路における複数の応用例を含む。
【背景技術】
【０００３】
ＬＣＤタイプのデジタル画面上にビデオ信号の内容を表示することは、１組の基本のデジタル信号を取得するために、主要クロック信号を用いて所与の周波数でこのビデオ信号をデジタル化することを可能にする。こうした基本のデジタル信号は、ビデオ信号の視覚内容が再生されるように、ＬＣＤ画面を構成する画素、すなわちピクセルに適用される。
【０００４】
こうした変換に必要な主要クロック信号は通常、位相ロック・ループ（ＰＬＬ）によって生成され、この位相ロック・ループは、その入力で、デジタル化されるビデオ信号のライン周波数をその周波数として含む第１のクロック信号、およびデジタル化されるビデオ信号のフレーム周波数をその周波数として含む第２のクロック信号を受信する。第１クロック信号は主要クロック信号の周波数の定義を可能にし、その周波数は、第１クロック周波数の周波数倍数である。第２クロック周波数は、その目的として、詳細にはＰＬＬを垂直同期パルス時にオープン・ループで動作させるために、２つのビデオ・フレームの間のＰＬＬの動作に作用しなければならない。
【０００５】
一方では、その信号が水平同期信号（Ｈｓｙｎｃ）とも言われるライン周波数の前記第１クロック信号を提供し、他方では、その信号が垂直同期信号（Ｖｓｙｎｃ）とも言われるフレーム周波数の前記第２クロック信号を提供する必要がある。
【０００６】
ビデオ信号は、その符号化形式が何であり得るかに関係なく、ビデオ・コンテンツに加えて、同期情報を含む。詳細には、それはそれぞれのビデオ・ラインの開始に印を付ける水平同期パルス、およびそれぞれのビデオ・フレームの開始に印を付ける垂直同期パルスを含み、水平および垂直同期信号の生成のためには、後者は別個に抽出されなければならない。
【０００７】
アナログ装置［Analog Devices］からＡＤ９８８８として引用された回路内で実施される方法がビデオ信号からこれらの同期信号を抽出するために周知である。
【０００８】
この方法は、ビデオ信号のレベルが第１の論理状態（例えば同期パルスに対応する「ロー」論理状態）のときに減分されて、ビデオ信号のレベルが第２の論理状態（例えば「ハイ」論理状態）のときに増分されるカウンタについて述べている。基準期間よりも長い期間中にカウンタによって減分カウントすることによって、同期パルスの存在が示されるものであり、このカウンタの値は、ビデオ信号の符号化形式に帰属する同期パルスの持続時間に直結している。
【０００９】
ビデオ信号から同期信号を抽出するために従来技術で周知の方法には、いくつかの制限がある。
【００１０】
同期パルスの持続時間はビデオ形式によって変化するので、前記基準期間の値は、ビデオ信号の符号化形式が変化するときはいつでも修正されなければならない。
【００１１】
この方法はビデオ信号の符号化形式を識別することを含み、複数の符号化形式が存在することに鑑みて、これは、この方法の実施を複雑にする。したがって、同期信号を抽出するこの方法は、ビデオ信号の周知の各形式について新しいパラメータ設定を必要とするので、何にでも適用できるものではない。
【００１２】
一方、同期パルスの持続時間がある符号化形式と別の符号化形式では大きく異なることによって、カウンタのサイズ決めは難しくなる。
【００１３】
最後に、この方法は、たとえば独自の符号化が存在するときにビデオ信号の符号化形式が認識されない場合は、前記基準期間を定義することができないので使用され得ない。
【発明の開示】
【発明が解決しようとする課題】
【００１４】
本発明の一目的は、入力ビデオ信号中の同期信号を自動的にまた符号化形式とは独立に抽出することである。
【課題を解決するための手段】
【００１５】
このために、本発明による方法は、
前記入力ビデオ信号中のビデオ・ラインの持続時間を計算するための計算ステップと、
前記入力ビデオ信号を強制的に出力レベルにする強制ステップであって、前記出力レベルが水平同期パルス後の前記入力ビデオ信号のレベルに対応し、前記入力信号が、各水平同期パルスの終わりと前記ライン持続時間の第１のパーセント値によって定義される瞬間との間にあるように強制的にされ、水平同期信号Ｈｓｙｎｃを生成するステップとを備える。
【００１６】
同期信号を抽出する難しさは、入力ビデオ信号が水平および垂直同期信号を含むだけでなく、除去されるべき寄生パルス［parasitic pulse］を含むことにある。この寄生パルスは、詳細には、ビデオ・コンテンツの知的財産権を保護するに当たって目的とするパルス、または垂直同期パルスのいずれかの側にインターレース・モードで挿入されるいわゆる等化パルスに相当する。
【００１７】
この方法は、現在知られているビデオ符号化形式の寄生パルスが、水平同期パルスの終わりと、ビデオ・ラインの持続時間Δのパーセント値Ｘ１によって定義される瞬間の間にある時間間隔Δ１に常に位置するという事実に基づく。入力ビデオ信号のレベルを強制的に前記時間間隔の間にすることによって、水平同期パルスだけが存在し、寄生パルスが抑制される同期信号を生成することができる。
【００１８】
この方法は、ビデオ信号中の水平同期パルスの幅のどんな変化の影響も受けない。この方法は、強制操作が行われる間の時間間隔が一定の値ではなく、ラインの持続時間のパーセント値として表現された最終値として定義されるので、ビデオ・ラインの持続時間の変動、たとえば入力ビデオ信号中のライン周波数の変化後の影響も同様に受けない。
【００１９】
この方法は、詳細には１６００×１２００ピクセルの解像度を有するＵＸＧＡ符号化形式、プログレッシブおよびインターレース符号化および３レベル符号化形式について、各ビデオ・ラインの開始を示す水平同期信号（Ｈｓｙｎｃ）をビデオ信号内で抽出することを可能にする。
【００２０】
本発明によるこの方法は、計算ステップの事前のステップをも含み、前記事前ステップは、入力ビデオ信号の１組の立ち上がりエッジから選ばれた２つの連続した立ち上がりエッジの間で、前記入力ビデオ信号のロー・レベルの持続時間およびハイ・レベルの持続時間を測定するための第１の測定サブステップと、
前記第１測定サブステップで実施された１組の連続した測定について、前記ロー・レベル持続時間対前記ハイ・レベル持続時間の比が１より大きい場合、前記入力ビデオ信号のレベルを反転させる反転サブステップと、を含む。
【００２１】
この方法は、同期パルスの極性の自動検出を提供する。この特徴によって、入力ビデオ信号の同期化の極性がどうであれ、同期パルス時に正のレベルを有する出力同期信号を生成することができる。
【００２２】
本発明による方法は、計算ステップが、
前記入力ビデオ信号の１組の立ち上がりエッジのうちから２つずつ取られた連続する立ち上がりエッジの間の持続時間を測定するための第２の測定サブステップと、
前記第２測定サブステップで測定された持続時間のうちから、ビデオ・ラインの前記持続時間に対応する最大値を抽出するための処理サブステップと、を備えることを特徴とする。
【００２３】
ビデオ・ラインの持続時間の計算は、第２測定サブステップで実施された多数の測定に基づく。処理サブステップによって、ビデオ・フレームの終わりとその次のビデオ・フレームの開始の間の寄生パルスおよび水平同期パルスに関するエッジを考慮しないことができる。したがって、この方法によって、ライン持続時間の信用できる値を生成することができる。
【００２４】
本発明による方法は、ビデオ・ラインの持続時間の値を更新するため、ビデオ・ラインの持続時間を計算するための計算ステップが周期的に活性化され得ることも特徴とする。
【００２５】
これによって、入力ビデオ信号の形式にどんな変化が生じた場合でも、同期パルスのための抽出プロセスを自動的に適応させることができる。
【００２６】
本発明による方法は、抽出された水平同期信号から垂直同期信号を生成するステップをも含む。
【００２７】
水平同期の極性は、２つのビデオ・フレーム間で、すなわち垂直同期パルスの生成時にビデオ信号中で反転される。したがって、垂直同期パルスＶｓｙｎｃの抽出は、ビデオ・ラインの特定の時間範囲のレベルが一定であり、また水平同期パルスのレベルと同じであり、すなわちこの時間範囲中にロー・レベルである場合、それが水平同期パルスの存在を特徴付けるという事実に基づく。
【００２８】
垂直同期パルスを抽出するこの方法によって、現在知られているそれぞれ異なるビデオ符号化形式に適応させることができる。
【００２９】
本発明は、上述の本発明による方法のステップおよびサブステップを実施するためのハードウェアおよび／またはソフトウェア手段を含む集積回路にも関する。
【００３０】
この集積回路は、入力ビデオ信号から水平Ｈｓｙｎｃおよび垂直Ｖｓｙｎｃ同期信号を抽出および生成することを可能にする。有利には、こうした集積回路は、上述のＰＬＬが１つまたは複数のアナログ・デジタル・ビデオ変換器を駆動するように設計された主要出力クロック信号の生成を可能にするように、前記ＰＬＬについて水平および垂直同期信号を生成するために使用される。
【００３１】
本発明についての具体的な諸側面について、以下で説明され、また添付の図面と併せて考慮される諸実施形態を参照して次に説明する。図面では、同一の部分またはサブステップは、同じように表されている。
【発明を実施するための最良の形態】
【００３２】
図１は、入力ビデオ信号から水平および垂直同期パルスを導出するための本発明による方法で使用される諸ステップのブロック図である。
【００３３】
入力ビデオ信号の交流成分を抑制するために、この方法は、ブランキング・レベルより高いレベルのすべての情報を除外できるようにする処理ステップ１０１を含む。もちろん、このステップ１０１は、入力ビデオ信号が複合同期信号に対応しない場合にだけ実施される。このように修正された入力ビデオ信号は、同期パルスまたは寄生パルスを含む合成同期信号Ｃｓｙｎｃに対応する。
【００３４】
ＲＧＢ（赤緑青）形式の入力信号の場合、同期情報は、通常ＳＯＧ［Synchronization On Green―グリーン上の同期―］として周知の緑成分中に含まれ、ＹｃｒＣｂ形式の入力信号の場合、同期情報は、輝度成分Ｙ中に含まれる。本発明による方法は、水平および垂直同期パルスを抽出するために、同期信号を含む入力信号のこうした成分だけを解析する。
【００３５】
この方法は、入力ビデオ信号のレベルを条件的に反転させるための事前ステップ１０２を含む。このために、事前ステップ１０２は、以下のステップを含む。
【００３６】
信号Ｃｓｙｎｃの１組の立ち上がりエッジから選ばれた２つの連続した立ち上がりエッジ間の入力ビデオ信号中のロー・レベルの持続時間およびハイ・レベルの持続時間を測定するための第１測定サブステップ１０３。都合の良いことには、この第１測定サブステップ１０３は、１組の連続する６４個の立ち上がりエッジ、すなわち２つのビデオ・フレーム間に挿入された寄生パルスまたは水平同期パルスを定義する立ち上がりエッジを考慮するのではなく、あるビデオ・フレーム内の水平同期パルスを定義する立ち上がりエッジを確実に考慮できるほど十分に長い合計時間に対して実施される。
【００３７】
前記第１測定サブステップにより実施されたこの１組の連続する６４の測定について、ハイ・レベル持続時間対ロー・レベル持続時間の比が１より大きい場合、前記入力ビデオ信号のレベルを反転させるための反転サブステップ１０４。信号Ｃｓｙｎｃ中の同期パルスの極性がマイナスと検出される場合、入力ビデオ信号Ｃｓｙｎｃは反転される。
【００３８】
この方法は、前記入力ビデオ信号Ｃｓｙｎｃ中のビデオ・ラインの持続時間Δを計算するための計算ステップ１０５を含む。この計算は、反転サブステップ１０４で極性が反転された可能性がある複合同期信号Ｃｓｙｎｃに対して実施される。
【００３９】
この計算ステップ１０５は、前記入力ビデオ信号の１組の立ち上がりエッジのうちから２つずつ取られた連続する立ち上がりエッジ間の持続時間を測定するための第２の測定サブステップ１０６を含む。好都合なことには、このステップはそれぞれが特定の条件を満たさなければならない１０２４個の一連の測定を実施する。詳細にはＰは整数である。
【００４０】
この１組の１０２４個の値を定義する測定値が考慮される場合、Ｎ番の測定は、その直前のＮ−１番の測定値と±Ｐ％の差があってはならない。
【００４１】
Ｎ−１番の測定値はその直前のＮ−２番の測定値と±Ｐ％の差があってはならない。
【００４２】
Ｎ−２番の測定値はその直前のＮ−３番の測定値と±Ｐ％の差があってはならない。
【００４３】
Ｎ番の測定値がその直前のＮ−１番の測定値と±Ｐ％以上の差がある場合、このＮ番の測定値は考慮されず、またその３つの連続する測定値も考慮されない。
【００４４】
この計算ステップ１０５は、前記第２測定サブステップ１０６で測定された１組の前記１０２４個の持続時間のうちから最大値を抽出するための処理サブステップ１０７をも含み、この最大値は、ビデオ・ラインの持続時間Δに対応する最大値である。
【００４５】
有利には、計算ステップ１０５は、ビデオ・ライン持続時間Δの値を更新するために周期的に活性化される。
【００４６】
この方法は、信号Ｃｓｙｎｃを強制的に、水平同期パルス後の前記信号Ｃｓｙｎｃのレベルに対応する出力レベルにする強制ステップ１０８を含み、水平同期信号Ｈｓｙｎｃを生成するために、前記信号が（各水平同期パルスの終わりと、前記ライン持続時間Δの第１のパーセント値Ｘ１によって表現される瞬間との間の持続時間と定義される）時間範囲Δ１上にあるように強制的にされる。持続時間Δ１の間に信号Ｃｓｙｎｃ中にいくらかの寄生パルスが存在する場合、それらは、水平同期信号Ｈｓｙｎｃを形成するために除去される。
【００４７】
ライン開始時に同期させるため、信号Ｃｓｙｎｃの立ち上がりエッジが、持続時間Δ１の計算を開始するために使用される。最初に、除去される予定のパルスに属する立ち上がりエッジが持続時間Δ１の計算開始のために使用される場合、ライン開始での同期は、以下の立ち上がりエッジなどで実施される。
【００４８】
この方法は、ビデオ・ラインの持続時間の最大２０％の水平同期パルス幅で、プログレッシブ・モード（すなわち非インターレース）とインターレース・モードで入力ビデオ信号Ｃｓｙｎｃにおける垂直同期パルスを抽出する際に垂直同期信号Ｖｓｙｎｃを生成するための生成ステップ１０９を含む。垂直同期信号の抽出は、以下の情報に基づく。
【００４９】
ライン持続時間Δの２５％および７５％のＣｓｙｎｃ信号の状態。
【００５０】
ライン持続時間Δの２５％のＨｓｙｎｃ信号の状態。
【００５１】
ライン持続時間Δの［０＋，８７．５％］の立ち上がりエッジの数。ただし、０＋は、ライン開始時の最初の立ち上がりエッジが考慮されないことを示す。
【００５２】
ライン持続時間Δの範囲［１８．７５％，７５％］のＣｓｙｎｃ信号の連続的なハイ状態の最大持続時間。
【００５３】
ライン持続時間Δの１８．７５％の範囲の開始点を選択することによって、Ｃｓｙｎｃ信号立ち上がりエッジ後のライン持続時間Δの１２．５％より大きい開始パルスは除外される。この方法を簡略化するため、この方法は、Ｃｓｙｎｃ信号が、３つのパルス時にロー状態に戻ることなく、ライン持続時間Δの６．２５％の乗数（すなわち１８．７５％，２５％，３１．２５％，…，８１．２５％，８７．５％）で３回連続して安定していることを評価するだけである。
【００５４】
都合の良いことには、この方法は、入力ビデオ信号Ｃｓｙｎｃの瞬間フィールドを示すフィールド信号をも生成するためのＶｓｙｎｃ信号抽出のために実施される処理および分析を利用する。
【００５５】
以下の条件のうちの１つが確認される場合、Ｖｓｙｎｃ信号はアクティブであると見なされる。
【００５６】
条件１：  ７５％のＣｓｙｎｃ信号がハイであり、２５％のＨｓｙｎｃ信号がローであり、水平ライン持続時間Δの［０＋，８７．５％］の間のＣｓｙｎｃ信号立ち上がりエッジの数が３つ以下であり、範囲［１８．５％，８７．５％］のＣｓｙｎｃ信号の連続したハイ状態の最大時間が、Ｃｓｙｎｃ立ち下がりエッジ後の最初のパルスを除いてライン持続時間Δの１２．５％を厳密に上回っている。
Ｖｓｙｎｃ信号は、ライン持続時間Δの８７．５％で変化する。
フィールド信号は、ライン持続時間Δの８７．５％で変化する。
【００５７】
条件２：  ２５％のＨｓｙｎｃ信号はハイである。
フィールド出力信号は、ライン持続時間Δの２５％のＣｓｙｎｃ信号のレベルの反転によって与えられる。
Ｖｓｙｎｃ信号は、ライン持続時間Δの３７．５％で変化する。
フィールド出力信号は、ライン持続時間Δの３７．５％で変化する。
【００５８】
条件３：  ７５％のＣｓｙｎｃ信号がローで、２５％のＣｓｙｎｃ信号がハイであり、２５％のＨｓｙｎｃ信号がローであり、水平ライン持続時間Δの［０＋，８７．５％］の間のＣｓｙｎｃ信号立ち上がりエッジの数が範囲［１，２］の間であり、範囲［１８．７５％，８７．５％］のＣｓｙｎｃ信号の連続したハイ状態の最大時間が、ライン持続時間Δの１２．５％以上である。
Ｖｓｙｎｃ信号は、ライン持続時間Δの８７．５％で変化する。
フィールド出力信号は、ライン持続時間Δの範囲［０＋，８７．５％］の立ち上がりエッジの数によって与えられる。実際に、立ち上がりエッジの数が１に等しい場合、フィールド出力信号はローである。立ち上がりエッジの数が２に等しい場合、フィールド出力信号はハイである。フィールドは、ライン持続時間の８７．５％で変化する。
【００５９】
図２に、プログレッシブ・モードの入力ビデオ信号Ｃｓｙｎｃ、ならびに本発明による方法によって抽出される同期信号ＨｓｙｎｃおよびＶｓｙｎｃの時間図を示す。
【００６０】
入力ビデオ信号Ｃｓｙｎｃは、ブラック・レベルより高いレベルのすべての情報が除外されている処理ステップ１０１から生じる複合同期信号である。これは、同期パルスの極性が負であるプログレッシブ・モードのビデオ信号である。
【００６１】
各ビデオ・ラインの開始は、灰色の三角で表される。ビデオ信号Ｃｓｙｎｃの各ラインは、水平同期パルス、詳細には、同期信号Ｈｓｙｎｃを生成するために抽出されるべきパルスＰ１−Ｐ２−Ｐ３を含む。
【００６２】
すべての寄生パルスは除外されるが、それは、たとえばビデオ・コンテンツの知的財産の保護を目的とするパルスに対応するパルスＰ４の場合である。強制ステップ１０８は、それぞれのビデオ・ラインに適用される。寄生パルスが個々のビデオ・ラインの時間範囲Δ１（パルスＰ３の立ち上がりエッジと、ライン持続時間Δのパーセント値Ｘ１として定義された瞬間Ｔ１によって区切られる）に存在しない場合、同期信号Ｈｓｙｎｃは、信号Ｃｓｙｎｃの基本コピーである。強制ステップ１０８は、パルスＰ４を除外する際にそのすべての機能を用いる。実際に、時間範囲Δ１で生成された信号Ｈｓｙｎｃのレベルは、パルスＰ３の立ち上がりエッジ後の信号ＣｓｙｎｃのレベルＮ１に等しい状態のままである。
【００６３】
同期信号Ｖｓｙｎｃは、ライン持続時間Δのパーセント値Ｘ４として表現された瞬間Ｔ４で負のレベルに、またライン持続時間Δのパーセント値Ｘ５として表現された瞬間Ｔ５で、正のレベルに変化する。
【００６４】
図３に、インターレース・モードの入力ビデオ信号Ｃｓｙｎｃ、ならびに本発明による方法から導出される同期信号ＨｓｙｎｃおよびＶｓｙｎｃの入力ビデオ信号Ｃｓｙｎｃの時間図を示す。
【００６５】
入力ビデオ信号Ｃｓｙｎｃは、ブラック・レベルより高いレベルのすべての情報が除外されている処理ステップ１０１から生じる複合同期信号である。これは、同期パルス極性が負であるプログレッシブ・モードのビデオ信号である。
【００６６】
各ビデオ・ラインの開始は、灰色の三角で表される。ビデオ信号Ｃｓｙｎｃの各ラインは、水平同期パルス、詳細には、同期信号Ｈｓｙｎｃを生成するために抽出されるパルスＰ１−Ｐ２を含む。
【００６７】
すべての寄生パルスは除外されるが、それは、垂直同期パルス幅の半分の幅を有する等化パルスに対応するパルスＰ３の場合に当てはまる。強制ステップ１０８は、それぞれのビデオ・ラインに適用される。
【００６８】
寄生パルスは、個々のビデオ・ラインの時間範囲Δ１（パルスＰ２の立ち上がりエッジと、ライン持続時間Δのパーセント値Ｘ１として定義された瞬間Ｔ１とによって区切られる）に存在しない場合には、強制ステップは、同期信号Ｈｓｙｎｃを定義するための信号Ｃｓｙｎｃの基本コピーを示唆している。強制ステップ１０８はパルスＰ３を除外する際にそのすべての機能を用いる。実際に、範囲Δ１で生成された信号ＨｓｙｎｃのレベルはパルスＰ２の立ち上がりエッジ後の信号Ｃｓｙｎｃの論理レベルＮ２に等しい状態のままである。
【００６９】
同期信号Ｖｓｙｎｃは、ライン持続時間Δのパーセント値Ｘ４として表現される瞬間Ｔ４で負のレベルに、またライン持続時間Δのパーセント値Ｘ５として表現される瞬間Ｔ５で正のレベルに変化する。
【００７０】
図４に、入力ビデオ信号Ｖｉｎから水平および垂直同期パルスを抽出するための本発明による方法の一実施形態を示す。この実施形態は、詳細には集積回路での実装のために設計されている。
【００７１】
それは、ブラック・レベルより高い信号のすべての部分を抑制し、したがってビデオ信号Ｖｉｎの交流成分を抽出し、したがって複合同期信号Ｃｓｙｎｃを生成するためのトリガ３００を含む。信号Ｃｓｙｎｃが既に得られている場合、トリガは使用されず、同期信号は、前記複合同期信号から直接に抽出される。
【００７２】
排他的ＯＲタイプの論理ゲート３０１（ＸＯＲゲートとも言われる）は、信号Ｃｓｙｎｃおよびコマンド信号３０１ａを受信する。コマンド信号３０１ａのレベルに応じて、この論理ゲートは、複合同期信号３０２を生成するため、信号Ｃｓｙｎｃの論理レベルの反転を引き起こす。したがって、信号３０１ａの論理レベルがハイである場合、信号３０２は信号Ｃｓｙｎｃの同期パルスの極性の反転からもたらされ、信号３０１ａの論理レベルがローである場合、信号３０２は、信号Ｃｓｙｎｃと同一のものである。したがって、信号３０２は、同期パルスの極性が常に同じである複合同期信号を定義する。
【００７３】
検出モジュール３０３によって、信号Ｃｓｙｎｃの同期パルスの極性を検出することができる。ロー・レベル持続時間対ハイ・レベル持続時間の比が１より大きい場合、モジュール３０３は、１組の連続した立ち上がりエッジについて信号Ｃｓｙｎｃの２つの立ち上がりエッジ間でハイ・レベルのコマンド信号３０１ａを生成する。そうでない場合、モジュール３０３は、ロー・レベルのコマンド信号３０１ａを生成する。有利には、この検出モジュールは、そのクロック入力で、たとえば水晶によって生成された基準クロック信号を受信し、またカウントの方向を示すその入力で信号Ｃｓｙｎｃを受信する、上／下タイプのカウンタを含む。カウンタは初期値から開始する信号Ｃｓｙｎｃの２つの連続した立ち上がりエッジ間の信号Ｃｓｙｎｃのハイ・レベルで減分され、信号Ｃｓｙｎｃのロー・レベルで増分される。カウンタ値が前記１組の連続した立ち上がりエッジ内の第２立ち上がりエッジで前記初期値より高い場合、これは信号Ｃｓｙｎｃの極性が反転されなければならないことを示し、カウンタの値が第２立ち上がりエッジで前記初期値より低い場合、これは、信号Ｃｓｙｎｃの極性が反転される必要がないことを示している。
【００７４】
モジュール３０５は、信号３０２のビデオ・ラインの持続時間Δの計算を提供する。このモジュールは、たとえばそのクロック入力で水晶によって生成された基準クロック信号を受信するカウンタを含む。カウンタは、第１立ち上がりエッジでゼロに再設定した後に信号３０２の２つの立ち上がりエッジ間で増分される。第２立ち上がりエッジで、カウンタの値は、サブステップ１０５および図１を参照して上記で述べたように、直前の３つの測定値と比較され得るようにローカルに格納される。
【００７５】
モジュール３０４は、信号３０２からの瞬間Ｔ１−Ｔ２−Ｔ３−Ｔ４−Ｔ５のコマンド・パルスＰ１−Ｐ２−Ｐ３−Ｐ４−Ｐ５、およびそれ自体を各水平同期パルスと同期させた後のライン持続時間Δに関する情報を生成する。モジュール３０４は、水平パルスの各開始時にゼロに再設定され、またそのクロック入力で、モジュール３０５によって使用される同じクロック信号を受信するカウンタを含む。このカウンタは各水平同期パルスの開始時に増分され、その瞬間値は、比較器によって、前記ライン持続時間Δの分割後に取得された１組の値と比較される。前記瞬間値が分割後に取得された前記値のうちの１つに等しい場合、パルスＰｉは、モジュール３０４によって生成される。詳細には、コマンド・パルスＰ１は、ライン持続時間値Δの８７．５％で生成され、コマンド・パルスＰ２は、カウンタの瞬間値がライン持続時間値Δの１８．７５％に等しい場合に生成され、コマンド・パルスＰ３は、カウンタの瞬間値がライン持続時間値Δの２５％に等しい場合に生成され、コマンド・パルスＰ４は、カウンタの瞬間値がライン持続時間値Δの３７．５％に等しい場合に生成され、コマンド・パルスＰ５は、カウンタの瞬間値がライン持続時間値Δの７５％に等しい場合に生成される。
【００７６】
状態マシン３０６によって、信号３０２およびコマンド・パルスＰｉに基づいてコマンド信号３０７を生成することができる。コマンド信号３０７は、各ビデオ・ラインの水平同期パルスの終わりとコマンド・パルスＰ１の間のハイの値を取るようにする。コマンド信号３０７は、その入力データＤで信号３０２を受信するフリップフロップ３０８のクロック入力に加えられる。その結果、コマンド信号３０７がハイ・レベルに移るときに、フリップフロップ３０８の信号Ｈｓｙｎｃは、信号３０２のレベルを取り、信号３０７がハイ・レベルの状態のままでいる限りそのレベルを保持し、したがって信号３０２中のすべての寄生パルスを抑制する。したがってフリップフロップ３０８は、信号３０２のレベルを強制する機能を果たす。
【００７７】
状態マシン３０６は、信号Ｖｓｙｎｃの生成をももたらす。このために、コマンド・パルスＰ２−Ｐ３とＰ３−Ｐ４によって定義された瞬間の間の信号３０２の論理状態が、論理機能を実施する回路によって解析される。詳細には、状態マシンによって実施される機能は、論理ゲートのネットワークによって、たとえばＦＰＧＡタイプのプロブラマブル回路を用いて状態マシン３０６によって形成され得る。状態マシンによって実施される機能は、メモリ内に格納されたコンピュータプログラムによって発行された命令コードを受信するマイクロコントローラによって実施されることもできる。
【図面の簡単な説明】
【００７８】
【図１】本発明による方法で使用される諸ステップのブロック図である。
【図２】プログレッシブ・モードの入力ビデオ信号および本発明による方法から導出された同期信号の時間図である。
【図３】本発明による方法の一実施形態を示す図である。
【図４】インターレース・モードの入力ビデオ信号および本発明による方法から導出された同期信号の時間図である。
【図１】
2005531973.tif 000003
【図２】
2005531973.tif 000004
【図３】
2005531973.tif 000005
【図４】
2005531973.tif 000006
【国際調査報告】
2005531973.tif 000007
2005531973.tif 000008